(57)【特許請求の範囲】
【請求項１】
接続された表示装置に画像を表示させる資料提示装置であって、
カメラによって被写体を撮像し、画像データを生成する画像データ生成部と、
前記画像データを前記表示装置に画像信号として出力する画像出力部と、
前記被写体の動きを検出する動き検出部と、
前記被写体の動きの有無に応じて前記画像データの出力態様を変更する出力制御部と、
前記出力制御部による前記画像データの出力態様の変更に関わらず、前記カメラによって撮像された画像データを、前記表示装置とは異なる装置である確認用モニタに出力する確認用モニタ出力部と
を備える画像出力装置。
【請求項２】
請求項１に記載の資料提示装置であって、
前記出力制御部は、前記動きが検出された場合には、前記画像信号の出力のオン／オフを切り替えるよう前記画像出力部を制御する資料提示装置。
【請求項３】
請求項１に記載の資料提示装置であって、
前記出力制御部は、前記動きが検出された場合には、生成する画像データの解像度を低下させるよう前記画像データ生成部を制御する資料提示装置。
【請求項４】
請求項１に記載の資料提示装置であって、
前記出力制御部は、前記動きが検出された場合には、所定の静止画像を出力するよう前記画像出力部を制御する資料提示装置。
【請求項５】
請求項４に記載の資料提示装置であって、
前記所定の静止画像は、前記動きが検出される直近の画像データである資料提示装置。
【請求項６】
請求項４に記載の資料提示装置であって、
前記画像出力部は、前記生成した画像データを、逐次、前記出力用のデータとして保持する画像データ記憶部を有し、
前記出力制御部は、前記動きが検出された場合に、前記画像データ記憶部の更新を禁止する資料提示装置。
【請求項７】
接続された表示装置に画像を表示させる資料提示装置であって、
カメラによって被写体を撮像し、画像データを生成する画像データ生成部と、
所定のタイミングで生成した前記画像データを静止画データとして保持する画像データ記憶部と、
該静止画データを前記表示装置に画像信号として出力する画像出力部と、
前記被写体の動きを検出する動き検出部と、
該被写体の動きが検出された後、該動きの停止が検出された場合に、前記画像データ記憶部の保持内容を更新する更新制御部と、
前記画像データ記憶部に記憶されたデータの内容に関わらず、前記カメラによって撮像された画像データを、前記表示装置とは異なる装置である確認用モニタに出力する確認用モニタ出力部と
を備える資料提示装置。
【請求項８】
請求項１〜７のいずれかに記載の資料提示装置であって、
前記動き検出部は、前記画像データ生成部から時系列的に得られる画像データの比較により動きの有無を検出する資料提示装置。
【発明の詳細な説明】
【０００１】
【発明の属する技術分野】
本発明は、資料を撮像した画像を表示装置に表示させる資料提示システムに関する。
【０００２】
【従来の技術】
従来、資料やサンプルなどを撮像し、撮像した画像をモニタやプロジェクタ等の表示装置に表示させる資料提示装置が知られている。資料提示装置は、教育やプレゼンテーションの現場で多く利用されており、近年のカメラ技術の進歩により高解像度化が進み、１００万画素を超える画像を出力可能なものもある。
【０００３】
【発明が解決しようとする課題】
しかし、従来の資料提示装置では、操作者による資料のセッティング中の様子が表示装置に表示されてしまう場合があった。また、このような様子が表示される場合には、カメラの高解像度化に伴い、資料を撮像してから表示するまでに生じるタイムラグによってコマ落ちが発生していた。このようなコマ落ちのある映像は、プレゼンテーションの印象を悪化させてしまう可能性があった。
【０００４】
本発明は、上記課題を解決するためになされたものであり、資料のセッティング中における表示の改善を目的としている。
【０００５】
【課題を解決するための手段およびその作用・効果】
かかる課題の少なくとも一部を解決するため、本発明の資料提示装置を以下のように構成した。すなわち、
接続された表示装置に画像を表示させる資料提示装置であって、
被写体を撮像し、画像データを生成する画像データ生成部と、
前記画像データを前記表示装置に画像信号として出力する画像出力部と、
前記被写体の動きを検出する動き検出部と、
前記被写体の動きの有無に応じて前記画像データの出力態様を変更する出力制御部と、
を備えることを要旨とする。
【０００６】
画像データ生成部は、例えばＣＣＤカメラを用いて構成することができる。画像データ生成部によって撮像された画像データは、画像出力部によってＣＲＴ、プロジェクタ、テレビ、ＬＣＤ等の各種表示装置に画像信号として出力される。
【０００７】
画像出力部によって画像信号を出力する際には、動き検出部によって検出される被写体の動きの有無に応じて出力態様の変更を行う。出力態様の変更は、画像データに関する諸量を連続的に変更してもよいし、不連続的に変更、即ち、出力モードの切り替えという形で実現してもよい。このような資料提示装置であれば、被写体がセッティング中であるか否かを自動的に判別し、セッティング中に撮像された画像をそのまま表示することによる弊害を緩和することができる。
【０００８】
出力態様の変更は、例えば、動き検出部が被写体の動いていることを検出した場合に、画像信号の出力のオン／オフを切り替えるものとすることができる。こうすることで、例えば、セッティング中には全黒または全白等の画面に切り替えることができる。
【０００９】
また、動き検出部によって被写体が動いていることを検出した場合に、画像データ生成部により生成する画像データの解像度を低下させるものとしてもよい。こうすることにより、撮像する画像データのデータ量が低下し、単位時間当たりに撮像可能なフレームレートが上がるため、表示装置に表示を行う際のタイムラグを低減することが可能となる。
【００１０】
解像度を低下させる手法としては、画像データ生成部が被写体を撮像する際のスキャンラインを間引く等の手法がある。また、ＣＣＤカメラには、全画素読出しモードと高速ドラフト読出しモードという２種類の撮像モードを備えているものがある。全画素読出しモードとは、ＣＣＤの有効画素をすべてスキャンするため、静止画を撮像するのに向いたモードである。高速ドラフト読出しモードとは、スキャンする画素を間引くことにより、フレームレートを向上させたモードである。このようなＣＣＤカメラを画像データ生成部に用いる場合には、この２つのモードを切り替えることにより解像度の切り替えを行うことができる。
【００１１】
その他、動き検出部によって被写体が動いていることを検出した場合に、所定の静止画像を出力するものとしてもよい。こうすることにより、セッティング中の画像を表示させないものとすることができる。所定の静止画像とは、例えば、全画面白や黒の単色の表示となる画像としてもよいし、「セッティング中」「少々お待ちください」といった文字を表す画像としてもよい。しかし、このような静止画像としては、被写体の動きが検出される直前に画像データ生成部により撮像された画像データであることがより好ましい。このような画像データを表示させることとすれば、資料のセッティング中であることを意識させることなくプレゼンテーションを行うことが可能となる。
【００１２】
このように、被写体の動きが検出される直近の画像データを出力するために、前記画像出力部は、前記生成した画像データを逐次前記出力用のデータとして保持する画像データ記憶部を有し、
前記出力制御部は、前記動きが検出された場合に、前記画像データ記憶部の更新を禁止する構成とすることができる。
【００１３】
画像データ記憶部には、撮像された被写体の画像データが逐次記録される。そして、画像出力部はこの画像データ記憶部から順次画像データを読み出し画像信号として出力を行う。このような構成によれば、出力制御部は、前記被写体の動きが検出された場合に、前記画像データ記憶部の更新を禁止するため、画像データ記憶部には動きが検出される直前の画像データが保持されたままとなる。画像出力部は、この画像データを読出し出力を行うため、表示装置上にセッティング中の画像が表示されることはない。
【００１４】
なお、表示装置に静止画を表示させている間であっても、操作者は常に撮像された画像データを目視確認できれば資料の設置位置調整などに便利である。従って、本発明の資料提示装置は、前記画像データ生成部が生成した画像データを、表示装置に表示する出力態様に関わらず表示するためのモニタ出力部を備えるものとしてもよい。
【００１５】
また、本発明は、
接続された表示装置に画像を表示させる資料提示装置であって、
被写体を撮像し、画像データを生成する画像データ生成部と、
所定のタイミングで生成した前記画像データを静止画データとして保持する画像データ記憶部と、
該静止画データを前記表示装置に画像信号として出力する画像出力部と、
前記被写体の動きを検出する動き検出部と、
該被写体の動きが検出された後、該動きの停止が検出された場合に、前記画像データ記憶部の保持内容を更新する更新制御部と、
を備える資料提示装置としても構成することができる。
【００１６】
このような構成によれば、被写体の動きが検出された場合には、その動きが停止したタイミングで出力する静止画データが更新されることとなる。従って、セッティング中の画像が表示装置上に表示されることはない。かかる構成においても上述のモニタ出力部を備えることが好ましい。
【００１７】
なお、上述の種々の資料提示装置において、動き検出部は、画像データ生成部から時系列的に得られる画像データの比較により動きの有無を検出するものとしてもよい。これは、例えば全画素の輝度の平均値の変化により検出してもよいし、画像データを所定のブロック領域に分割してそのブロック毎に輝度の変化を検出してもよい。その他、動き検出部は、赤外線センサやポジションセンサ等の各種センサにより構成してもよい。
【００１８】
また、本発明は、資料提示装置としての態様のほか、資料提示装置における画像出力方法や、コンピュータにより画像を出力するためのプログラム、該プログラムを記録したコンピュータ読取可能な記録媒体等の種々の態様で実現してもよい。
【００１９】
【発明の実施の形態】
以下、本発明の実施の形態について実施例に基づき次の順序で説明する。
Ａ．第１実施例：
（Ａ１）資料提示装置の概要：
（Ａ２）資料提示装置の内部構成：
（Ａ３）画像出力制御ルーチン：
Ｂ．第２実施例：
（Ｂ１）資料提示装置の内部構成：
（Ｂ２）画像出力制御ルーチン：
Ｃ．第３実施例：
（Ｃ１）資料提示装置の内部構成：
（Ｃ２）画像出力制御ルーチン：
Ｄ．変形例：
【００２０】
Ａ．第１実施例：
（Ａ１）資料提示装置の概要：
図１は、資料提示装置１０の概略斜視図である。資料提示装置１０は、その底面の大部分を占める資料載置台１１と、これに対向するカメラヘッド１２と、資料載置台１１をその上面から演出照明する左右のライト１３，１４を有する。この両ライトは、資料載置台１１の左右後端部を中心に回動自在とされており、台上資料の撮像の際に必要に応じて使用される。
【００２１】
カメラヘッド１２は、資料載置台１１のほぼ中央領域に対向するようアーム１５で支持されており、資料載置台１１に載置された種々の資料を撮像する。カメラヘッド１２は、自動焦点式のＣＣＤカメラを有し、ズーム機能、ホワイトバランス調整機能等の撮像機能を備える。そして、カメラヘッド１２は、図示しないテレビ、プロジェクタ、ＬＣＤ等の外部表示装置に撮像した画像を出力するとともに、確認用モニタ１６にも出力する。
【００２２】
資料提示装置１０の前縁部には、操作部１７が設けられている。操作部１７には上記ライト１３，１４のオン／オフ、ＣＣＤカメラの絞り、ズーム、ホワイトバランス調整、フォーカス調整、画像出先の切り替え、出力する画像の解像度の設定などを実行するための操作スイッチが備えられている。
【００２３】
（Ａ２）資料提示装置の内部構成：
図２は、資料提示装置１０の内部構成の概略を示すブロック図である。図示するように、資料提示装置１０は、レンズや電荷結合素子（ＣＣＤ）等により構成される撮像部２０、撮像部２０により生成された画像データを一時的に保持するフレームバッファ２１、確認用モニタ１６に画像を出力するための確認用モニタ出力部２２、資料の動きを検出するための動き検出部２３、外部表示装置に画像を出力するための画像出力部２４、フレームバッファ２１から画像出力部２４へのデータ転送を制御する出力制御部２５を備えている。
【００２４】
画像出力部２４は、フレームバッファ２１から出力制御部２５により転送される画像データを出力用の画像データとして記憶する出力用画像記憶部２６と、画像データをユーザから指定された解像度に変換するスキャンコンバータ２７と、スキャンコンバータ２７により変換された画像信号をアナログ信号に変換するＤ／Ａ変換回路２８と、Ｄ／Ａ変換された画像信号を更にＮＴＳＣ信号に変換するＮＴＳＣ変換回路２９等により構成されている。
【００２５】
更に、資料提示装置１０は上述した各構成部を制御するためのマイクロコンピュータ（以下、「マイコン」と略称する。）３０を備えている。マイコン３０は、ＣＰＵと、制御用のプログラムが記録されたＲＯＭと、プログラムを実行するためのワークエリアとして用いるＲＡＭにより構成される。
【００２６】
撮像部２０は、「全画素読出しモード」と、「高速ドラフト読出しモード」という２つの撮像モードを備えている。全画素読出しモードは、ＣＣＤを構成する画素をすべてスキャンして撮像するモードである。本実施例のＣＣＤは、２００万画素のＣＣＤを用いたため、その解像度は１６００×１２００（画素）もの高解像度となる。そのため、全画素読出しモードでは、１秒間に７．５フレームの画像を撮像するにすぎない。一方、高速ドラフト読出しモードは、スキャンする画素を間引き、解像度を６４０×２４０（画素）まで落とした画像を撮像するモードである。このモードを用いることにより、１秒間に３０フレームの画像を撮像することが可能となる。
【００２７】
撮像部２０により撮像された画像データは、逐次フレームバッファ２１に書き込まれる。フレームバッファ２１は、解像度に関わらず１フレーム分の画像データを記憶する。確認用モニタ出力部２２は、このフレームバッファ２１から画像データを順次読み出し、確認用モニタ１６に常時画像を出力する。操作者は、この確認用モニタ１６を用いて資料の写り具合を確認し、載置位置の調整を行うことができる。また、フレームバッファ２１に書き込まれた画像データは、出力制御部２５により画像出力部２４に転送される。出力制御部２５は、画像データの転送のタイミングを調整する。この転送は、動き検出部２３によって検出する被写体の動きの有無に応じてオン／オフされる。
【００２８】
動き検出部２３は、フレームバッファ２１に時系列的に書き込まれる画像データの輝度変化に基づき資料載置台１１上の資料の動きを検知する。検知手法は概ね次の通りである。まず、動き検出部２３は、フレームバッファ２１に書き込まれた画像データを８×８（画素）の単位ブロックにより複数のブロックに分割する。フレームバッファ２１に書き込まれた画像データが高速ドラフト読出しモードによる６４０×２４０（画素）の画像データであれば、８０×３０個のブロックに分割されることとなる。動き検出部２３は、このように分割したブロック毎の輝度平均値を算出して評価値保持部３１に一時的に記録する。フレームバッファ２１に次のフレームの画像データが書き込まれると、動き検出部２３は、この画像データのブロック毎の輝度平均値を同様に求める。そして評価値保持部３１に記録しておいた前フレームのブロック毎の輝度平均値と比較し、所定の割合、例えば、全ブロックのうち３０％以上のブロックで輝度平均値の変化が有った場合に動きがあったものと判定し、輝度平均値の変化が３０％未満のブロックであれば動きがないものとして判定する。無論、各ブロックにおける輝度平均値の変化の有無の判断は、多少の誤差を許容しても構わない。
【００２９】
画像出力部２４は、出力制御部２５により転送された画像データを出力用画像記憶部２６に次のフレームの画像データが転送されるまで一時的に記録する。そして、スキャンコンバータ２７は、ユーザにより指定された解像度に画像データを変換した上で外部表示装置に出力するのに適した周波数で画像信号を生成する。ここで生成された画像信号は、デジタル信号としてＤＶＩ出力を行うことができる。さらに、このデジタル信号をＤ／Ａ変換回路２７によりアナログ信号に変換することにより、アナログＲＧＢ信号として出力することが可能となる。また、アナログＲＧＢの信号をＮＴＳＣ変換回路２８によりＮＴＳＣ信号に変換して出力することもできる。ユーザは、これらの信号を出力する接続端子に所望の外部表示装置を接続することにより、様々な表示装置を用いて画像を表示することができる。ＤＶＩ出力は、例えば液晶ディスプレイに用いることができ、アナログＲＧＢ信号はＣＲＴに利用することができる。また、ＮＴＳＣ信号を用いることにより、テレビモニタに表示を行うこともできる。
【００３０】
（Ａ３）画像出力制御ルーチン：
図３は、マイコン３０が行う画像出力制御ルーチンのフローチャートである。本ルーチンの前提として、初期状態では出力用画像記憶部２６には何も記録されていないものとし、出力制御部２５は画像データの転送が禁止されているものとする。まず、マイコン３０は、撮像部２０を高速ドラフト読出しモードに設定して被写体を撮像し、画像データをフレームバッファ２１に入力する（ステップＳ１０）。そして、動き検出部２３を用いて被写体の動きの検知を行う（ステップＳ１１）。このとき、動きなしと検知されれば、動きありと検知されるまでステップＳ１０とステップＳ１１の処理を繰り返す。ステップＳ１１で、動きありと検知されると、更に、高速ドラフト読出しモードによって画像データをフレームバッファ２１に入力して（ステップＳ１２）、その動きが停止したかどうかを検知する（ステップＳ１３）。動いている状態が継続している場合には、ステップＳ１２に処理を戻し、停止したことを検知するまでステップＳ１１とステップＳ１２の処理をループする。停止したことを検知すると、マイコン３０は撮影部２０を全画素読出しモードに切り替えて画像データをフレームバッファに１フレーム入力する（ステップＳ１４）。さらに、出力制御部２５を用いて画像出力部２４に対する画像データの転送禁止を解除する（ステップＳ１５）。こうすることにより、画像出力部２４に画像データが転送される。転送が完了すると、マイコン３０は、出力制御部１５を用いて画像出力部に対する画像データの転送を禁止する（ステップＳ１６）。マイコン３０は、資料提示装置１０の起動中、以上の処理を常時ループして実行する。
【００３１】
本実施例によれば、被写体の動きが停止するタイミングで画像出力部２４内の出力用画像記憶部２６に記憶される画像データが更新されることとなる。そのため、資料の入れ替え時などの様子が外部表示装置上に表示されることがなく、スムーズなプレゼンテーションを行うことができる。また、確認用モニタ１６には被写体の動きの有無にかかわらず常に撮像された画像が出力されることとなるため、操作者は、この確認用モニタ１６を見て資料の写り具合を確認することができる。
【００３２】
なお、本実施例において、例えば、「セッティング中」「少々お待ち下さい」等といった表示を被写体が動いている最中に行うものとしてもよい。これは、上記画像出力制御ルーチンのステップＳ１１において、被写体の動きが検知された際に画像出力部２４に対してマイコン３０のＲＡＭから直接このような表示のための画像を転送することにより実現することができる。こうすることにより、資料の入れ替え時等にセッティング中であることを明示的に知らせることができる。
【００３３】
Ｂ．第２実施例：
（Ｂ１）資料提示装置の内部構成：
図４は、第２実施例にかかる資料提示装置１０の内部構成の概略を示すブロック図である。本実施例の資料提示装置１０も、撮像部４０、フレームバッファ４１、確認用モニタ出力部４２、評価値保持部５１を含む動き検出部４３、画像出力部４４、出力制御部４５、マイコン５０を備えている。また、画像出力部４４は、出力用画像記憶部４６、スキャンコンバータ４７、Ｄ／Ａ変換回路４８、ＮＴＳＣ変換回路４９を備えている。各構成部の機能は第1実施例とほぼ同様であるが、本実施例の出力制御部４５はマイコン５０によるデータ転送可否の制御を受けないものとした。従って、フレームバッファ４１に書き込まれた画像データは、被写体の動きに関わらず、順次画像出力部４４に転送され、外部表示装置に出力されることとなる。なお、本実施例の撮像部４０は、全画素読出しモードにおいて解像度１０２４×７６８（画素）の画像データが1秒間に１５フレーム撮像可能なものとする。この程度のフレームレートがあれば、全画素読出しモードによって撮像した画像を基に被写体の動きを検出してもタイムラグによる影響が少ないためである。
【００３４】
（Ｂ２）画像出力制御ルーチン：
図５は、第２実施例にかかる画像出力制御ルーチンのフローチャートである。まず、撮像部４０は、全画素読出しモードにより被写体を撮像し、画像データをフレームバッファ４１に入力する（ステップＳ２０）。そして、マイコン５０は、動き検出部４３を用いて被写体の動きを検出する（ステップＳ２１）。ここで、動きなしと検知された場合にはステップＳ２０に処理を戻す。こうすることにより、被写体が動いていない場合には、全画素読出しモードにより撮像した画像データが逐次外部表示装置に出力されることとなる。ステップＳ２１において被写体の動きありと検知された場合には、撮像部４０を高速ドラフト読出しモードに切り替えて画像データをフレームバッファに入力する（ステップＳ２２）。次に、動き検出部４３によって動きが停止したかどうかを検出する（ステップＳ２２）。停止していない場合は、ステップＳ２１に処理を戻す。こうすることにより、被写体が動いている間は、高速ドラフト読出しモードにより撮像した画像データが外部表示装置に出力されることとなる。マイコン５０は、資料提示装置１０の起動中、以上の処理を常時ループして実行する。
【００３５】
本実施例によれば、被写体が動いている場合には低解像度・高フレームレートの画像が出力されることになり、被写体が動いていない場合には高解像度・低フレームレートの画像が出力されることとなる。そのため、資料のセッティング中の画像もコマ落ちすることなく外部表示装置に出力することができる。さらにセッティング後は、自動的に高解像度の画像を出力することとなる。従って、画像のコマ落ちによる不快な印象をプレゼンテーションを受ける者に与えることがない。
【００３６】
Ｃ．第３実施例：
（Ｃ１）資料提示装置の内部構成：
図６は、第３実施例にかかる資料提示装置１０の内部構成の概略を示すブロック図である。本実施例の資料提示装置１０も、上記２つの実施例と同様に、撮像部６０、フレームバッファ６１、確認用モニタ出力部６２、評価値保持部７１を含む動き検出部６３、画像出力部６４、出力制御部６５、マイコン７０を備えている。また、画像出力部６４は、出力用画像記憶部６６、スキャンコンバータ６７、Ｄ／Ａ変換回路６８、ＮＴＳＣ変換回路６９を備えている。各構成部の機能は第1，２実施例とほぼ同様であるが、本実施例の撮像部６０は、特に読み出しモードを規定せず、出力制御部６５はマイコン５０によるデータ転送可否の制御を受けないものとした。また、本実施例では、画像出力部６４の後段にスイッチ７２を設けた。このスイッチは、画像出力部６４から出力される画像信号の送出をオン／オフするスイッチである。このスイッチはマイコン７０により制御されており、マイコン７０は動き検出部６３を用いて被写体が動いていることを感知すると、このスイッチをオフにする。なお、スイッチ７２は、画像信号を構成する信号のうち、ＲＧＢ等の色を構成する信号のみをオフにして、同期信号は維持するものとすれば好適である。同期信号がオフになると、外部表示装置がスタンバイモードに入り、復帰するまでに時間がかかる恐れがあるからである。
【００３７】
（Ｃ２）画像出力制御ルーチン：
図７は、第３実施例にかかる画像出力制御ルーチンのフローチャートである。まず、撮像部６０により撮像した画像データがフレームバッファ６１に入力される（ステップＳ３０）。すると、画像データは、出力制御部６５により画像出力部６４に転送され、画像出力部６４が画像信号を生成することとなる。そしてマイコン７０は被写体の動きを動き検出部６３により検知する（ステップＳ３１）。ここで、動きありと検知された場合には、スイッチ７２をオフにして画像信号の送出を停止する（ステップＳ３２）。動き無しと検知された場合にはスイッチ７２をオンにして画像信号を送出する（ステップＳ３３）。マイコン７０は、資料提示装置１０の起動中、以上の処理を常時ループして実行する。
【００３８】
本実施例によれば、簡易な構成で資料のセッティング中の画像を非表示とすることが可能となる。
【００３９】
Ｄ．変形例：
最後に、第１実施例における画像出力制御ルーチンの変形例を説明する。図８は、第１実施例における画像出力制御ルーチンの変形例を示すフローチャートである。まず、全画素読出しモードにより撮影部２０で撮像した画像データをフレームバッファ２１に入力する（ステップＳ４０）。そしてマイコン３０は、被写体の動きをこの画像データを用いて検出する（ステップＳ４１）。このとき、被写体が動いていると検出した場合には、出力制御部２５によるデータ転送を禁止する（ステップＳ４２）。動いていないと検出した場合にはデータ転送の禁止を解除する（ステップＳ４３）。マイコン３０は、以上の処理を資料提示装置１０の起動中常時ループさせる。
【００４０】
このような画像出力制御ルーチンによれば、簡易な処理で被写体が動く直前の静止画をそのセッティング中に表示させておくことができる。しかし、動きの検出を高解像度の画像データを用いて検出するため、その検出に時間がかかるという問題がある。そのため、本処理を実行する環境は、全画素読出しモードにおける解像度が、ＳＶＧＡ（８００×６００）やＸＧＡ（１０２４×７６８）程度の解像度であることが望ましい。なお、本変形例においても、被写体が動いている最中に、静止画に替えて、「少々お待ちください」や「セッティング中」などいった表示を外部表示装置に行うものとしてもよい。これは、上記ステップＳ４２において、画像データの転送を禁止するとともに出力用画像記憶部２６に対してマイコン３０のＲＡＭから直接そのような画像を転送すればよい。
【００４１】
以上、本発明の種々の実施例について説明したが、本発明はこれらの実施例に限定されず、その趣旨を逸脱しない範囲で種々の構成をとることができることは言うまでもない。上述の実施例ではフレームメモリに記録された画像に基づき被写体の動きを検出するものとしたが、例えば、光学式マウスに利用されるポジションセンサ等の各種センサを資料載置台１１の中央付近に配設することにより資料の動きを検知してもよい。また、ハードウェアにより実現した種々の機能をソフトウェア的に実現するものとしてよい。
【図面の簡単な説明】
【図１】資料提示装置１０の概略斜視図である。
【図２】資料提示装置１０の内部構成の概略を示すブロック図である。
【図３】画像出力制御ルーチンのフローチャートである。
【図４】第２実施例にかかる資料提示装置１０の内部構成の概略を示すブロック図である。
【図５】第２実施例にかかる画像出力制御ルーチンのフローチャートである。
【図６】第３実施例にかかる資料提示装置１０の内部構成の概略を示すブロック図である。
【図７】第３実施例にかかる画像出力制御ルーチンのフローチャートである。
【図８】第１実施例における画像出力制御ルーチンの変形例を示すフローチャートである。
【符号の説明】
１０…資料提示装置
１１…資料載置台
１２…カメラヘッド
１３，１４…ライト
１５…アーム
１６…確認用モニタ
１７…操作部
２０，４０，６０…撮像部
２１，４１，６１…フレームバッファ
２２，４２，６２…確認用モニタ出力部
２３，４３，６３…動き検出部
２４，４４，６４…画像出力部
２５，４５，６５…出力制御部
２６，４６，６６…出力用画像記憶部
２７，４７，６７…スキャンコンバータ
３０，５０，７０…マイコン
３１，５１，７１…評価値保持部
７２…スイッチ
【図１】
0004139626.tif 000002
【図２】
0004139626.tif 000003
【図３】
0004139626.tif 000004
【図４】
0004139626.tif 000005
【図５】
0004139626.tif 000006
【図６】
0004139626.tif 000007
【図７】
0004139626.tif 000008
【図８】
0004139626.tif 000009